(57)【要約】本発明は、音声サービスを提供するＩＳ−９５Ａ／Ｂ、ＣＤＭＡ １ｘ、ＧＳＭ、Ｗ−ＣＤＭＡを含む無線通信、及び有線／無線パケット網を介して音声サービスを提供するＶｏＩＰ音声サービスを含む通信システムにおいて、音声サービスを提供する音声物理チャンネルに音声を送受信すると共に、相互間の必要な文字、イメージ、コンピュータファイル、メッセージなどを含むユーザデータを送受信するデータサービス、すなわち、送受信装置でユーザデータ情報を音声サービス中に伝達したり、相手と音声サービス中にゲームをしたりするデータサービスを提供することのできる通信システムにおける送受信装置及び方法に関する。【選択図】図２
2008521331.tif 000002
【特許請求の範囲】
【請求項１】
音声を音声フレームでエンコードして伝達し、受信された音声フレームをデコードして出力する音声処理部と；
ユーザデータを処理するユーザデータ部と；
前記ユーザデータ部から伝達されたユーザデータにサービス識別子を割り当て、所定サイズのユーザデータ片に分割してＰＤＳ（Ｐｅｅｒ−ｔｏ−Ｐｅｅｒ  Ｄａｔａ  Ｓｅｒｖｉｃｅ）処理部に伝達し、前記ＰＤＳ処理部から伝達されたユーザデータ片を組み立てた後、サービス識別子を解釈して前記ユーザデータ部に伝達するユーザデータ整合部と；
前記音声処理部から伝達される音声フレームまたは前記音声フレームと前記ユーザデータ整合部から伝達された前記ユーザデータ片に相応して生成したデータフレームを基にＰＤＳフレームを生成して接続物理層部に送信したり、前記接続物理層部から伝達されたＰＤＳフレームを分析し、音声フレームは前記音声処理部に、ユーザデータ片は前記ユーザデータ部にそれぞれ伝達するＰＤＳ処理部と；
通信環境の接続規格に準して前記ＰＤＳフレームを音声物理チャンネルを介して送受信する接続物理層部と；を含むことを特徴とする送受信装置。
【請求項２】
前記ＰＤＳ処理部は、音声フレームとユーザデータとの結合可能可否を判断し、ユーザデータのエラー検出及び復旧機能を行い、前記ユーザデータ片から前記データフレームまたは制御フレームを生成するＰＤＳリンク層部と；
前記音声フレームに前記ＰＤＳリンク層部から受信したデータフレームまたは制御フレームを結合して前記ＰＤＳフレームを生成するＰＤＳフレーム生成部と；
前記接続物理層部から受信したＰＤＳフレームを分析し、音声フレーム、データフレームまたは制御フレームとに分解して伝達するＰＤＳフレーム分析部と；を含むことを特徴とする請求項１に記載の送受信装置。
【請求項３】
前記ＰＤＳリンク層部は、
前記音声処理部から受信された音声フレームの情報値を受信し、前記音声フレームとユーザデータとの結合可能可否を判断する結合判断部と；
前記結合判断部によって結合可能な音声フレームであると判断された場合、前記ユーザデータ整合部の送信バッファ部にユーザデータ片があればデータフレームを生成し、ユーザデータ片がなければ必要に応じて制御フレームを生成して、生成されたデータフレームまたは制御フレームを判断結果と共にＰＤＳフレーム生成部に伝達する下向伝達部と；
前記ＰＤＳフレーム分析部から受信されたデータフレームまたは制御フレームを分析し、制御フレームである場合は制御手続きを行い、データフレームである場合はユーザデータ片を抽出してユーザデータ整合部に伝達する上向伝達部と；を含むことを特徴とする請求項２に記載の送受信装置。
【請求項４】
前記ＰＤＳフレーム生成部は、
前記ＰＤＳリンク層部から受信された判断結果により、データフレームまたは制御フレームを音声処理部から受信された音声フレームと結合してＰＤＳフレームを生成する生成部と；
前記生成部で生成されたＰＤＳフレームを前記接続物理層部に伝達する伝達部と；を含むことを特徴とする請求項２に記載の送受信装置。
【請求項５】
前記ＰＤＳフレーム分析部は、
前記接続物理層部から受信したＰＤＳフレームが純粋な音声フレームであるか否かを判断するフレーム判断部と；
前記接続物理層部から受信したデータが純粋な音声フレームではないと判断された場合、前記ＰＤＳフレームを音声フレームとデータフレームまたは制御フレームとにそれぞれ分解する分解部と；
前記音声フレームは前記音声処理部に伝達し、分解されたデータフレームまたは制御フレームは前記ＰＤＳリンク層部に伝達するフレーム伝達部と；を含むことを特徴とする請求項２に記載の送受信装置。
【請求項６】
前記情報値は、ＩＳ−９５Ａ／Ｂ及びＣＤＭＡ  １ｘを含む同期方式の移動通信標準化団体である３ＧＰＰ２（Ｔｈｉｒｄ  Ｇｅｎｅｒａｔｉｏｎ  Ｐａｒｔｎｅｒｓｈｉｐ  Ｐｒｏｊｅｃｔ  ２）の規格に準する可変レート音声エンコード方式の場合、音声レートに対する情報値であることを特徴とする請求項３に記載の送受信装置。
【請求項７】
前記情報値は、ＧＳＭ及びＷ−ＣＤＭＡを含む非同期方式の移動通信標準化団体である３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）の規格に準する音声エンコード方式の場合、ＶＡＤ（Ｖｏｉｃｅ  Ａｃｔｉｖｉｔｙ  Ｄｅｔｅｃｔｏｒ）の情報値であることを特徴とする請求項３に記載の送受信装置。
【請求項８】
前記情報値は、ＶｏＩＰ（Ｖｏｉｃｅ  ｏｖｅｒ  Ｉｎｔｅｒｎｅｔ  Ｐｒｏｔｏｃｏｌ）サービスを提供するに当たり３ＧＰＰが適用するＶＡＤ（Ｖｏｉｃｅ  Ａｃｔｉｖｉｔｙ  Ｄｅｔｅｃｔｏｒ）を用いるコーデック方式の場合は、ＶＡＤの情報値であり、可変レート音声エンコード方式が適用される場合は、音声レートに対する情報値であることを特徴とする請求項３に記載の送受信装置。
【請求項９】
前記ユーザデータ整合部は、
前記ユーザデータ部から伝達されたデータがユーザデータであるか、ＰＤＳサービス制御及び状態管理のためのＰＤＳサービス制御及び状態管理データであるかを判断する判断部と；
前記ユーザデータ部から受信したデータがユーザデータであると判断された場合、前記ユーザデータに前記サービス識別子を割り当てる割り当て部と；
前記サービス識別子を割り当てたユーザデータを所定のサイズを有するユーザデータ片に分割する分割部と；
前記ユーザデータ部から受信したデータがＰＤＳサービス制御及び状態管理データであると判断された場合、ユーザが該当ＰＤＳサービスのために設定する各種パラメータ、制御及び状態管理のためのデータを処理する処理部と；
前記分割されたユーザデータ片を前記ＰＤＳ処理部で処理できるように保存する送信バッファ部と；
前記ＰＤＳリンク層部から受信されたユーザデータ片を組み立ててユーザデータ部に伝達する組み立て部と；
を含むことを特徴とする請求項１に記載の送受信装置。
【請求項１０】
通信システムを用いてデータを送受信する方法において、
音声を音声フレームでエンコードする段階と；
ユーザデータを基にデータフレームを生成する段階と；
前記音声フレーム及び前記データフレームを結合してＰＤＳフレームを生成する段階と；
前記ＰＤＳフレームを音声物理チャンネルを介して伝送する段階と；
を含むことを特徴とする通信システムのデータ送受信方法。
【請求項１１】
通信システムを用いてデータを送受信する方法において、
音声物理チャンネルを介してＰＤＳフレームを受信する段階（ここで、前記ＰＤＳフレームは音声フレーム及びユーザデータを基に生成されたデータフレームを含む）と；
前記ＰＤＳフレームを基に音声フレーム及びデータフレームを分離する段階と；
前記データフレームを基に前記ユーザデータを復元する段階と；
を含むことを特徴とする通信システムのデータ送受信方法。
【発明の詳細な説明】
【技術分野】
【０００１】
本発明は、通信システムにおいて音声サービスを提供する音声物理チャンネルにデータ情報を同時に提供するサービス（Ｐ−ｔｏ−Ｐ  Ｄａｔａ  Ｓｅｒｖｉｃｅ：以下、「ＰＤＳ」という）を提供するための送受信装置及び方法に係り、さらに詳しくは、通信サービスが提供されてから最も汎用されている音声サービス物理チャンネルを用いて送受信装置間で多くの種類の情報を同時に提供し、音声サービス中に相手に写真を撮影して送ったり、感情表現などのための顔文字（韓国では「イモティコン」という）を伝送することができる移動通信システムにおける送受信装置及び方法に関する。
【背景技術】
【０００２】
通信サービスは、２０世紀後半からサービスを開始して以来広く普及し使用されている。特に無線通信サービスは、移動性の利点を有して急速に成長しており、超高速網の急激な発展を土台に全世界がインターネットでつながり、インターネットを介した音声サービスも持続的に発展している。現在のパケット網を通じて音声サービスを提供するＶｏＩＰ（Ｖｏｉｃｅ  ｏｖｅｒ  Ｉｎｔｅｒｎｅｔ  Ｐｒｏｔｏｃｏｌ）サービスに加え、無線通信と連動したＶｏＩＰサービスに対するニーズが高まっている。
無線通信は、無線上での効率的な音声トラフィック伝送のために幾多の努力を必要とし、無線伝送のためのチャンネル資源のコストが高いため無線上での音声データの圧縮及び伝送のための技術が開発されている。中でも、最大周波数効率と人間が理解しやすい音調を得るために、音声データの圧縮技術と無線伝送のための無線物理層技術が中心技術として開発されており、ＶｏＩＰサービス提供のための無線物理層に関する標準化活動が盛んに行われている。
【０００３】
図１は、従来の通信システムにおける送受信装置に対する概念図である。先ず、送信手続きを説明すると、送受信装置は、音声情報を生成するボコーダ部１と、伝達しようとするデータ情報を生成するデータ部２とを備え、ボコーダ部１とデータ部２によって生成された情報のうち、音声情報は、伝送部３の送信部４を介して音声サービスのための音声物理チャンネルに伝送され、データ情報は、伝送部３の送信部４を介して音声物理チャンネルとは別途のチャンネルである、データサービスのためのデータ物理チャンネルに伝送される。
【０００４】
逆に受信手続きを説明すると、伝送部３の受信部５が音声物理チャンネルを介して受信した音声情報は、ボコーダ部１に伝達され、伝送部３の受信部５がデータ物理チャンネルを介して受信したデータ情報は、データ部２に伝達されてサービスが行われる。このとき、音声情報はリアルタイム性が保障されるが、データ情報はリアルタイム性が保障されない。また、データ情報の信頼性を保障するために、データ部２はエラー補正及びエラー訂正のためのリンク層（Ｌｉｎｋ  Ｌａｙｅｒ）機能を備える必要がある。すなわち、音声情報とデータ情報をリアルタイムでサービスするには限界がある。
【０００５】
回線サービスを介した音声サービスであれパケットサービスを介した音声サービスであれ、通信システムに音声サービスが接続されている状態で相手に任意の情報を送信、あるいは相手から任意の情報を受信するためには、データ情報量とは関係なく必ず追加資源を割り当ててサービスを提供する必要がある。このため、追加サービスを提供するためにはデータサービスのための物理チャンネル資源を追加せざるを得ないので、非効率的である。
【０００６】
データサービスを提供するに当たり、従来の技術は、大きく以下のような制約及び問題点を有している。
第一に、ユーザによるデータサービス利用中に音声サービスが要求されると、データサービスを終了し音声サービスを提供するようになっている。すなわち、音声サービス要求前までのデータサービスは、音声サービス要求と共に終了されることから、データサービスの最終状態を保持することができないという問題点がある。
【０００７】
第二に、ユーザがデータサービスを利用してネットワークサーバーでない移動端末で情報を送信しようとする場合、現在は「モバイルデータ・ターミネイティド（ＭＴ）サービス」が提供されていないため、送信用移動端末で無線パケットデータサービスを利用してネットワークサーバーにアップロードした後、ネットワークサーバーでショートメッセージサービス（ＳＭＳ：Ｓｈｏｒｔ  Ｍｅｓｓａｇｅ  Ｓｅｒｖｉｃｅ）を通じて受信用移動端末にＵＲＬ（Ｕｎｉｆｏｒｍ  Ｒｅｓｏｕｒｃｅ  Ｌｏｃａｔｏｒ）に対する情報を伝送し、ＵＲＬ情報を受信した移動端末は無線パケットデータサービスを利用して該当ＵＲＬに接続し、送信用移動端末でアップロードした情報をダウンロードするようになっている。このため、移動通信サービスでサーバーを通じてプッシュサービスを提供するのに多くの制約がある。
【０００８】
第三に、音声通話中に言葉で表現できない場合、すなわち、図書館、映画館のような公共場所または相手が聾唖の場合、相手に文字、顔文字などを用いて意思を伝逹するか感情を表現するとき、サービスの要求を満足することができない。
【発明の開示】
【発明が解決しようとする課題】
【０００９】
本発明は、かかる従来技術の問題点を解決するために案出されたもので、無線通信網における移動端末間、有線／無線パケット網を利用するＶｏＩＰ音声サービスを提供するＶｏＩＰ端末間、及び移動端末とＶｏＩＰ端末間に音声サービスを提供するに当たり、両ユーザ間に必要な情報を取り交わす場合、音声サービスを提供する音声物理チャンネルの帯域幅内で伝達しようとする多数のデータ情報を取り交わすことができる送受信装置を提供することがその目的である。
【００１０】
また本発明のもう一つの目的は、現在の通信システムにおいてパケットデータサービスを提供するためにデータ情報量とは無関係に常時別途の物理チャンネルを割り当てる過程で発生する資源の非効率性、及びこれによる高いコストを解消することができる送受信装置及び方法を提供することにある。
【００１１】
さらに、ＩＳ（Ｉｎｔｅｒｉｍ  Ｓｔａｎｄａｒｄ）−９５Ａ／Ｂ、ＣＤＭＡ（Ｃｏｄｅ  Ｄｉｖｉｓｉｏｎ  Ｍｕｌｔｉｐｌｅ  Ａｃｃｅｓｓ）  １ｘ、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）を含む無線通信システム、及び有線／無線パケット網を介したＶｏＩＰサービスを提供する音声サービスを含む通信システムにおいて、音声サービスを提供する音声物理チャンネルに対して、音声フレームはもとより、文字、イメージ、コンピュータファイル、メッセージなどを含むユーザデータ情報を有するデータフレームを送受信し、音声サービス中にも関わらずユーザ間でユーザデータを自由に送受信することができる送受信装置を提供することにある。
【課題を解決するための手段】
【００１２】
上記目的を達成するために、本発明による通信システムにおける送受信装置は、音声を音声フレームでエンコードして伝達し、受信された音声フレームをデコードして出力する音声処理部と；ユーザデータを処理するユーザデータ部と；前記ユーザデータ部から伝達されたユーザデータにサービス識別子を割り当て、所定サイズのユーザデータ片に分割してＰＤＳ（Ｐｅｅｒ−ｔｏ−Ｐｅｅｒ  Ｄａｔａ  Ｓｅｒｖｉｃｅ）処理部に伝達し、前記ＰＤＳ処理部から伝達されたユーザデータ片を組み立てた後、サービス識別子を解釈して前記ユーザデータ部に伝達するユーザデータ整合部と；前記音声処理部から伝達される音声フレームまたは前記音声フレームと前記ユーザデータ整合部から伝達された前記ユーザデータ片に相応して生成したデータフレームを基にＰＤＳフレームを生成して接続物理層部に送信し、前記接続物理層部から受信されたＰＤＳフレームを分析し、音声フレームは前記音声処理部に、ユーザデータ片は前記ユーザデータ部にそれぞれ伝達するＰＤＳ処理部と；通信環境の接続規格に準して前記ＰＤＳフレームを音声物理チャンネルを介して送受信する接続物理層部と；を含んでいることを特徴とする。
【００１３】
また、前記ＰＤＳ処理部は、音声フレームとユーザデータとの結合可能可否を判断し、ユーザデータのエラー検出及び復旧機能を行い、前記ユーザデータ片から前記データフレームまたは制御フレームを生成するＰＤＳリンク層部と；前記音声フレームに前記ＰＤＳリンク層部から受信したデータフレームまたは制御フレームを結合して前記ＰＤＳフレームを生成するＰＤＳフレーム生成部と；前記接続物理層部から受信したＰＤＳフレームを分析し、音声フレーム、データフレームまたは制御フレームとに分解して伝達するＰＤＳフレーム分析部と；を含んでいることが好ましい。
【００１４】
また、前記ＰＤＳリンク層部は、前記音声処理部から受信された音声フレームの情報値を受信し、前記音声フレームとユーザデータとの結合可能可否を判断する結合判断部と；前記結合判断部によって結合可能な音声フレームであると判断された場合、前記ユーザデータ整合部の送信バッファ部にユーザデータ片があればデータフレームを生成し、ユーザデータ片がなければ必要に応じて制御フレームを生成して、生成されたデータフレームまたは制御フレームを判断結果と共にＰＤＳフレーム生成部に伝達する下向伝達部と；前記ＰＤＳフレーム分析部から受信されたデータフレームまたは制御フレームを分析し、制御フレームである場合は制御手続きを行い、データフレームである場合はユーザデータ片を抽出してユーザデータ整合部に伝達する上向伝達部と；を含んでいることが好ましい。
【００１５】
また、前記ＰＤＳフレーム生成部は、前記ＰＤＳリンク層部から受信されたデータフレームまたは制御フレームを音声処理部から受信された音声フレームと結合してＰＤＳフレームを生成する生成部と；前記生成部で生成されたＰＤＳフレームを前記接続物理層部に伝達する伝達部と；を含むことが好ましい。
【００１６】
また、前記ＰＤＳフレーム分析部は、前記接続物理層部から受信したＰＤＳフレームが純粋な音声フレームであるか否かを判断するフレーム判断部と；前記フレーム判断部によって純粋な音声フレームではないと判断された場合、前記ＰＤＳフレームを音声フレームとデータフレームまたは制御フレームとにそれぞれ分解する分解部と；前記音声フレームは前記音声処理部に伝達し、分解されたデータフレームまたは制御フレームは前記ＰＤＳリンク層部に伝達するフレーム伝達部と；を含むことが好ましい。
【００１７】
また、前記情報値はＩＳ−９５Ａ／Ｂ及びＣＤＭＡ  １ｘを含む同期方式の移動通信標準化団体である３ＧＰＰ２（Ｔｈｉｒｄ  Ｇｅｎｅｒａｔｉｏｎ  Ｐａｒｔｎｅｒｓｈｉｐ  Ｐｒｏｊｅｃｔ  ２）の規格に準する可変レート音声エンコード方式の場合、音声レートに対する情報値であることを特徴とし、ＧＳＭ及びＷ−ＣＤＭＡを含む非同期方式の移動通信標準化団体である３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）の規格に準する音声エンコード方式の場合、ＶＡＤ（Ｖｏｉｃｅ  Ａｃｔｉｖｉｔｙ  Ｄｅｔｅｃｔｏｒ）の情報値であることを特徴とし、ＶｏＩＰサービスを提供するに当たり、３ＧＰＰが適用するＶＡＤを用いるコーデック方式の場合、ＶＡＤの情報値と可変レート音声エンコード方式が適用されるとき、音声レートに対する情報値であることを特徴とする。
【００１８】
そして、前記ユーザデータ整合部は、前記ユーザデータ部から伝達されたデータがユーザデータであるか、ＰＤＳサービス制御及び状態管理のためのＰＤＳサービス制御及び状態管理データであるかを判断する判断部と；前記判断部の判断によってユーザデータであると判断された場合、前記ユーザデータに前記サービス識別子を割り当てる割り当て部と；前記サービス識別子を割り当てたユーザデータを前記接続物理層部で収容可能なサイズのユーザデータ片に分割する分割部と；前記判断部によってＰＤＳサービス制御及び状態管理データであると判断された場合、ユーザが該当ＰＤＳサービスのために設定する各種パラメータ、制御及び状態管理のためのデータを処理する処理部と；前記分割されたユーザデータ片を前記ＰＤＳ処理部で処理できるように保存する送信バッファ部と；前記ＰＤＳ処理部から受信されたユーザデータ片を組み立ててユーザデータ部に伝達する組み立て部と；を含んでいることが好ましい。
【００１９】
一方、本発明による通信システムのデータ送信方法は、音声を音声フレームでエンコードする段階と；ユーザデータを基にデータフレームを生成する段階と；前記音声フレーム及び前記データフレームを結合してＰＤＳフレームを生成する段階と；前記ＰＤＳフレームを音声物理チャンネルを介して伝送する段階と；を含むことを特徴とする。
【００２０】
また、本発明による通信システムのデータ受信方法は、音声物理チャンネルを介してＰＤＳフレームを受信する段階（ここで、前記ＰＤＳフレームは音声フレーム及びユーザデータを基に生成されたデータフレームを含む）と；前記ＰＤＳフレームを音声フレーム及びデータフレームを分離する段階と；前記データフレームを基に前記ユーザデータを復元する段階と；を含むことを特徴とする。
【発明の効果】
【００２１】
本発明は、通信システムにおいて急激に増加しているデータサービスの多様なニーズに応えるため、システムに別途装置を必要とせずに手軽くユーザデータを送受信することはもとより、送受信装置間のデータサービスを容易に提供することにより、音声サービスユーザ間に必要となるデータ情報伝達のための様々なサービスを提供し、加入者の使用量の増大及び使用時間の増大を図ることができる。
【００２２】
また、本発明は、広く普及しているＶｏＩＰサービスにおいて音声サービスのための音声物理チャンネルの帯域幅内で多数のデータ情報を送受信できるようにすることにより、単調な音声サービスを主とするＶｏＩＰサービスに多様な付加サービスを提供することができ、しかも、無線通信と有線のＶｏＩＰサービスとの連動を通じて無線通信端末が提供している多様なサービスを、ＶｏＩＰサービスにも同様に適用するのに大きく寄与することができる。
【発明を実施するための最良の形態】
【００２３】
本発明の更なる目的及び利点は、添付図面とともに以下の詳細な説明から、より完全に理解されるであろう。
【００２４】
本発明を具現するための通信システムにおける送受信装置は、送受信装置の固有機能を行う接続物理層部７０と；音声を音声フレームでエンコードして伝達し、受信された音声フレームをデコードして出力する音声処理部２０と；音声サービス中に送受信装置を用いて、ユーザが伝送しようとする文字、イメージ、コンピュータファイル、メッセージなどを含むユーザデータ１００が存在する場合、ユーザが話していない間にＰＤＳサービス識別機能を含むユーザデータ１００を音声フレーム１０８に結合して接続物理層部７０に伝達するか、逆に接続物理層部７０から受信したＰＤＳフレーム１１０を分解した後、音声フレーム１０８を音声処理部２０に、ユーザデータ１００をユーザデータ部１０にそれぞれ伝送するＰＤＳ処理部４０と；ユーザデータ部１０とＰＤＳ処理部４０間の整合のためのユーザデータ整合部３０と；からなる。
【００２５】
以下、本発明の好適な一実施例を、添付図面を参照して詳述する。
【００２６】
図２は、本発明のＰＤＳ処理部を含む送受信装置の構成図である。
【００２７】
図２を参照すると、ユーザデータ部１０は、送受信装置の無線インターネットプラットホームまたはユーザインターフェースなどを用いてユーザデータ１００を処理する部分であって、ユーザが入力装置を介して相手に伝達しようとするユーザデータ１００をユーザデータ整合部３０に伝達し、前記ユーザデータ整合部３０からユーザデータ１００を受信して出力装置を介してユーザに伝達する。
【００２８】
前記ユーザデータ整合部３０は、図３に示すように、前記ユーザデータ部１０から伝達されたデータがユーザデータ１００であるか、ＰＤＳサービス制御及び状態管理のためのＰＤＳサービス制御及び状態管理データであるかを判断する判断部３１と；前記ユーザデータ部１０から伝達されたデータが前記判断部３１の判断によってユーザデータ１００であると判断された場合、前記ユーザデータ１００にサービス識別子を割り当てる割り当て部３２と；前記サービス識別子が割り当てられたユーザデータ１００を所定サイズのユーザデータ片１０２に分割する分割部３３と；前記ユーザデータ部１０から伝達されたデータが前記判断部３１によってＰＤＳサービス制御及び状態管理データであると判断された場合、ユーザが該当ＰＤＳサービスのために設定する各種パラメータ、制御及び状態管理のためのデータを処理する処理部３４と；からなる。
【００２９】
これら構成要素に加え、前記分割されたユーザデータ片１０２を前記ＰＤＳ処理部４０で処理し得るように保存する送信バッファ部３５と；前記ＰＤＳ処理部４０から受信されたユーザデータ片１０２を組み立ててユーザデータ部１０に伝達する組み立て部３６と；を含んでいる。
【００３０】
このように構成されたユーザデータ整合部３０は、前記ユーザデータ部１０から受信されたユーザデータ１００にサービス識別子を割り当てた後、接続物理層部７０で収容可能なサイズに分割してＰＤＳ処理部４０に伝送したり、ＰＤＳ処理部４０から受信されたユーザデータ片１０２を組み立てて完全なユーザデータ１００を得た後、サービス識別子を解釈し、その結果と共に完成されたユーザデータ１００をユーザデータ部１０に伝送したりする機能をする。
【００３１】
前記音声処理部２０は、音声データを３ＧＰＰと３ＧＰＰ２が適用する方式でエンコードして生成された音声フレーム１０８と、ＩＳ−９５Ａ／Ｂ及びＣＤＭＡ  １ｘを含む同期方式の移動通信標準化団体である３ＧＰＰ２の規格に準する可変レート音声エンコード方式の場合、音声レートに対する情報値、またはＧＳＭ及びＷ−ＣＤＭＡを含む非同期方式の標準化団体である３ＧＰＰの規格に準する音声エンコード方式の場合、ＶＡＤの情報値とをＰＤＳ処理部４０に送信する。また、ＶｏＩＰサービスを提供するに当たり、音声コーデックとしては多様な種類が適用可能であり、適用されるコーデックが可変レート方式の場合、音声レートに対する情報値をＰＤＳ処理部４０に送信し、３ＧＰＰが適用するＶＡＤを用いるコーデックの場合、ＶＡＤの情報値をＰＤＳ処理部４０に送信する。
【００３２】
前記ＰＤＳ処理部４０は、図４に示すように、ＰＤＳリンク層部４２、ＰＤＳフレーム生成部５０及びＰＤＳフレーム分析部６０を含み、ユーザデータ１００を送信するときには、ユーザデータ整合部３０を経て受信されたユーザデータ１００と音声処理部２０から受信された音声フレーム１０８とを結合してＰＤＳフレーム１１０を生成して送信する。
【００３３】
そして、ユーザデータ１００を受信するときには、逆に接続物理層部７０から受信されたＰＤＳフレーム１１０を分解し、ユーザデータ整合部３０を介して、ユーザデータ１００はユーザデータ部１０に、音声フレーム１０８は音声処理部２０にそれぞれ伝達する。このとき、接続物理層部７０から受信されたＰＤＳフレーム１１０がユーザデータ片１０２と結合されていない音声フレーム１０８であれば、追加の処理をせず音声処理部２０に伝送する。
【００３４】
図４において、前記のような機能を行うＰＤＳ処理部４０の各構成要素について詳述すると、前記ＰＤＳリンク層部４２は、送受信されるユーザデータ１００のエラー検出及びエラー復旧機能、順次送信などのリンク層（Ｌｉｎｋ  Ｌａｙｅｒ）機能を担当し、結合判断部４４、下向伝達部４６及び上向伝達部４８からなる。
【００３５】
前記結合判断部４４は、前記音声処理部２０から、ＩＳ−９５Ａ／Ｂ及びＣＤＭＡ  １ｘを含む同期方式の移動通信標準化団体である３ＧＰＰ２の規格に準する可変レート音声エンコード方式の場合、音声レートに対する情報値、またはＧＳＭ及びＷ−ＣＤＭＡを含む非同期方式の標準化団体である３ＧＰＰの規格に準する音声エンコード方式の場合、ＶＡＤの情報値を受信し、音声フレームとユーザデータ１００との結合可能可否を判断する。
【００３６】
前記下向伝達部４６は、前記結合判断部４４によって結合可能な音声フレーム１０８であると判断された場合、前記ユーザデータ整合部３０の送信バッファ部３５にユーザデータ片１０２があればデータフレーム１０４を生成し、ユーザデータ片１０２がなければ必要に応じて制御フレーム１０６を生成し、生成されたデータフレーム１０４または制御フレーム１０６を判断結果と共にＰＤＳフレーム生成部５０に伝達する。
【００３７】
前記上向伝達部４８は、ＰＤＳフレーム分析部６０から受信されたデータフレーム１０４または制御フレーム１０６を分析し、制御フレーム１０６の場合、制御手続きを行い、データフレーム１０４の場合、ユーザデータ片１０２を抽出してユーザデータ整合部３０に伝達する。
【００３８】
前記ＰＤＳフレーム生成部５０は、ＰＤＳフレームを生成する生成部５２と各フレームを伝達する伝達部５４とからなる。
【００３９】
前記生成部５２は、前記ＰＤＳリンク層部４２から受信された判断結果によってデータフレーム１０４または制御フレーム１０６を、音声処理部２０から受信された音声フレーム１０８と結合してＰＤＳフレーム１１０を生成する。
【００４０】
前記伝達部５４は、前記生成部５２で生成したＰＤＳフレーム及び、データフレーム１０４または制御フレーム１０６が結合されていない純粋な音声フレーム１０８を、ＰＤＳフレーム１１０とみなして接続物理層部７０に伝達する。
【００４１】
最後に、前記ＰＤＳフレーム分析部６０は、フレーム判断部６２、分解部６４及びフレーム伝達部６６を含んでいる。
【００４２】
前記フレーム判断部６２は、接続物理層部７０から受信されたデータが純粋な音声フレーム１０８であるかＰＤＳフレーム１１０であるかを判断し、前記分解部６４は、前記フレーム判断部６２によってＰＤＳフレーム１１０であると判断された場合、前記ＰＤＳフレーム１１０を音声フレーム１０８とデータフレーム１０４または制御フレーム１０６とにそれぞれ分解する。
【００４３】
そして、前記フレーム伝達部６６は、分解されたデータフレーム１０４または制御フレーム１０６を前記ＰＤＳリンク層部４２に伝達し、音声フレーム１０８を音声処理部２０に伝達する。
【００４４】
前記接続物理層部７０は、音声サービスを提供するための音声物理チャンネルを連結し、音声処理部２０で処理された音声フレーム１０８と、ユーザデータ部１０から受信したユーザデータ片１０２とを結合するＰＤＳフレーム生成部５０の処理結果を通信システムに伝送し、逆に通信システムから受信したＰＤＳフレーム１１０を、音声フレーム１０８とデータフレーム１０４または制御フレーム１０６とに分解するようにＰＤＳフレーム分析部６０に伝達する。
【００４５】
図５は、本発明のＰＤＳフレーム１１０の構造図である。前記ＰＤＳフレーム１１０は、ユーザの音声フレーム１０８と、ＰＤＳ処理部４０で作り出すデータフレーム１０４または制御フレーム１０６とからなる。
【００４６】
前記データフレーム１０４は、ＰＤＳリンク層部４０でフレームの識別及びエラー点検のために付ける制御データとユーザデータ片１０２とからなり、前記制御フレーム１０６は、ＰＤＳ処理部４０のＰＤＳリンク層部４２の制御データが結合されているフレームであって、ＰＤＳリンクの制御を担当する役割をする。
【００４７】
ここで、ユーザデータ片１０２とは、ユーザデータ１００をユーザデータ整合部３０における接続物理層部７０が収容し得るサイズに分割したデータのことである。
【００４８】
図６は、本発明によるユーザデータ整合部３０がユーザデータ部１０から受信したユーザデータ１００をＰＤＳ処理部４０に伝達する過程を示す流れ図である。
【００４９】
先ず、ユーザデータ部１０からデータを受信すると、受信されたデータがユーザデータ１００であるかＰＤＳ処理部４０の制御のためのデータであるかを判断する。前記ユーザデータ１００が受信されたならば、サービス識別子を割り当てて付けた後、接続物理層部７０で収容可能なサイズに分割してユーザデータ片１０２を得る。
【００５０】
前記ユーザデータ整合部３０が、前記ユーザデータ片１０２を送信バッファ部３５に保存して単位作業を完了すると、再びユーザデータ部１０から受信されるデータを待つ。もし、ＰＤＳ処理部４０の制御のためのデータが受信されると、ＰＤＳサービス制御及び状態管理作業を行った後、ユーザデータ部１０から受信されるデータを待つ。
【００５１】
図７は、本発明によるユーザデータ整合部３０がＰＤＳ処理部４０から受信したユーザデータ片１０２を処理してユーザデータ部１０に伝達する過程を示す流れ図である。
【００５２】
前記ＰＤＳ処理部４０から受信したユーザデータ片１０２をもって、本来のユーザデータ１００を作るために組み立て作業を行う。一つのユーザデータ１００を構成する複数の片のうち最後のユーザデータ片１０２が受信されてユーザデータ１００の組み立てが完成すると、完成されたユーザデータ１００に含まれているサービス識別子を解釈した後、ユーザデータ１００をユーザデータ部１０に伝達し、単位作業を完了する。
【００５３】
もし、ユーザデータ片１０２の組み立て過程中にユーザデータ１００が完成しなければ、次に受信されるユーザデータ片１０２を待って単位作業を完了する。
【００５４】
図８は、本発明によるＰＤＳ処理部４０が音声処理部２０から受信した音声フレーム１０８と、ユーザデータ整合部３０から受信したユーザデータ片１０２とが保存されている送信バッファ部３５を用いてＰＤＳフレーム１１０を生成し、それを毎周期の送信時点ごとに接続物理層部７０に伝達する過程を示す流れ図である。
【００５５】
音声処理部２０から毎周期ごとに音声フレーム１０８を伝達されると、ＰＤＳ処理部４０は使用可能な音声フレーム１０８であるか否かを判断する。前記音声フレーム１０８を判断する方法は、前述したように、３ＧＰＰ２の規格に準する可変レート音声エンコード方式の場合における、音声フレームの情報での音声レートに対する情報値と、ＧＳＭ及び３ＧＰＰの規格に準する音声エンコード方式の場合におけるＶＡＤの情報値とにより、伝達する音声がないと判断される場合、使用可能な音声フレーム１０８であると判断する。
【００５６】
また、ＶｏＩＰサービスを提供するに当たり、適用されるコーデックが可変レート方式の場合における、音声レートに対する情報値と、３ＧＰＰで適用するＶＡＤを用いるコーデックの場合におけるＶＡＤの情報値とにより、伝達する音声がないと判断される場合、使用可能な音声フレーム１０８であると判断する。
【００５７】
もし、使用可能な音声フレーム１０８である場合、送信バッファ部３５にユーザデータ片１０２が存在するか否かを確認し、伝送するユーザデータ片１０２が存在すると、このデータを含む、ＰＤＳ処理部４０のデータフレーム１０４を生成する。
【００５８】
このように得られたデータフレーム１０４を音声フレーム１０８と結合してＰＤＳフレーム１１０を生成した後、接続物理層部７０に伝達すると単位作業が完了し、次の周期の音声フレーム１０８を待つ。
【００５９】
ここで、もし毎周期ごとに受信された音声フレーム１０８が使用不可能な音声フレーム１０８であれば、前記音声フレーム１０８をＰＤＳフレーム１１０として扱い、接続物理層部７０に伝達した後、単位作業を完了する。
【００６０】
また、使用可能な音声フレーム１０８を受信したが、送信バッファ部３５に伝達するユーザデータ片１０２が存在しない場合、必要に応じて送受信装置間のＰＤＳサービス提供のための連結設定を維持させるするために、ＰＤＳ処理部４０の制御やエラー検出及び復旧などのための制御データが含まれている制御フレーム１０６を生成し、前記制御フレーム１０６を音声フレーム１０８と結合してＰＤＳフレーム１１０を得て、その後、手続きに沿って処理が行われる。
【００６１】
図９は、本発明によるＰＤＳ処理部４０が接続物理層部７０から受信したＰＤＳフレーム１１０を処理し、その結果をユーザデータ整合部３０と音声処理部２０とに伝達する過程を示す流れ図である。
【００６２】
接続物理層部７０から毎周期ごとに音声サービスを提供する音声物理チャンネルにデータが受信されると、純粋な音声フレーム１０８であるかユーザデータが結合されているＰＤＳフレーム１１０であるかを判断する。もし、ＰＤＳフレーム１１０であれば、音声フレーム１０８とデータフレーム１０４または制御フレーム１０６とに分解し、音声フレーム１０８を音声処理部２０に伝達する。
【００６３】
次に、データフレーム１０４であるか否かを判断し、データフレーム１０４であれば、ユーザデータ整合部３０にデータフレーム１０４を伝達し、制御フレーム１０６であれば、ＰＤＳリンク層部４２で制御フレーム１０６の処理手続きを行い、単位作業を完了する。
【００６４】
接続物理層部７０から受信されたデータがデータフレーム１０４または制御フレーム１０６が結合されていない純粋な音声フレーム１０８であれば、音声処理部２０に直ちに伝達して処理し、単位作業を完了する。
【産業上の利用可能性】
【００６５】
上記構成の本発明の送受信装置は、音声物理チャンネルを用いて音声送受信はもとよりデータ送受信を実現することができるので、データ送受信のための別途の物理チャンネルを割り当てる必要がなくなり経済的であり、音声の代わりにデータ情報による通話を必要とする聴覚障害人、言語障害人、公共場所での通話などに対して、自由な通話を提供し、さらに緊急状況発生時に聴覚障害者、言語障害者の緊急医療センターへの自由な意思表示を可能にするサービスを提供することができる。
【００６６】
また、本発明は、移動端末がモバイルデータ・ターミネイティド（ＭＴ）サービスを提供することにより、移動通信網を用いて各種産業施設及び公共施設物など遠距離状態監視及び情報収集などのサービスに多様に応用することができるという利点がある。
【００６７】
本発明は特定の説明実施例とともに記述されたが、これは付属の請求項によって制限されるものであり、実施例により制限されるものではない。本発明の範囲及び精神から逸脱することなく、実施例における変更又は修正が可能であることが、当業者により理解されるであろう。
【図面の簡単な説明】
【００６８】
【図１】従来の通信システムの送受信装置の概念図である。
【図２】本発明の一実施例によるＰＤＳ処理部を含む装置の構成図である。
【図３】本発明の一実施例によるユーザデータ整合部の構成図である。
【図４】本発明の一実施例によるＰＤＳ処理部の構成図である。
【図５】本発明の一実施例によるＰＤＳフレームの構造図である。
【図６】本発明の一実施例によるユーザデータ整合部の送受信流れ図である。
【図７】本発明の一実施例によるユーザデータ整合部の送受信流れ図である。
【図８】本発明の一実施例によるＰＤＳ処理部の送受信流れ図である。
【図９】本発明の一実施例によるＰＤＳ処理部の送受信流れ図である。
【図１】
2008521331.tif 000003
【図２】
2008521331.tif 000004
【図３】
2008521331.tif 000005
【図４】
2008521331.tif 000006
【図５】
2008521331.tif 000007
【図６】
2008521331.tif 000008
【図７】
2008521331.tif 000009
【図８】
2008521331.tif 000010
【図９】
2008521331.tif 000011
【国際調査報告】
2008521331.tif 000012
2008521331.tif 000013